(57)【要約】【課題】  簡易な構成で、容易且つ迅速に定形用紙の三つ折り作業が行える紙折り器具を提供する。【解決手段】  定形用紙４を三つ折りにする際に用いる紙折り器具１であって、定形用紙４の短辺４ｂを当接して位置決めするガイド部２及び定形用紙４の長辺４ａに対向する縁部３を有して定形用紙４を載置する台板５と、この台板５の縁部３でガイド部２から定形用紙４の折り幅Ｗ３だけ隔てた位置に折り幅Ｗ３とほぼ等しい幅Ｗ４の端部６ａを回動自在に取り付けて定形用紙４を台板５とで挟むゴムマグネット製のプレート部材６と、このプレート部材６が定形用紙４を介して台板５に吸着するよう台板５に設けたマグネットシート７を備えた。【選択図】        図１
2012076832.tif 000002
【特許請求の範囲】
【請求項１】
定形用紙を三つ折りにする際に用いる紙折り器具であって、定形用紙の短辺を当接して位置決めするガイド部及び定形用紙の長辺に対向する縁部を有して定形用紙を載置する台板と、この台板の縁部で前記ガイド部から定形用紙の折り幅だけ隔てた位置に前記折り幅とほぼ等しい幅の端部を回動自在に取り付けて定形用紙を前記台板とで挟むゴムマグネット製のプレート部材と、このプレート部材が定形用紙を介して前記台板に吸着するよう前記台板に設けた磁気吸着手段を備え、前記台板の縁部側の寸法が定形用紙の長辺よりも短く、前記台板のガイド部側の寸法が少なくとも定形用紙の短辺より短くなるように縁部の反対側の角部が切り欠かれ、前記プレート部材の長手方向の寸法が定形用紙の短辺より長いことを特徴とする紙折り器具。
【請求項２】
請求項１に記載の紙折り器具において、前記台板は、凹凸面を有する樹脂板であることを特徴とする紙折り器具。
【発明の詳細な説明】
【技術分野】
【０００１】
本発明は、ダイレクトメールや案内状などの定形用紙を三つ折りにする際に用いる紙折り器具に関する。
【背景技術】
【０００２】
従来から、便箋などの用紙を封筒に入れる際には、用紙を三つ折りにして封筒の幅内となるようにすることが行われている。例えば、用紙がＡ４判に決められている関係で、ダイレクトメールや案内状を封筒に入れる場合には、三つ折りにすることが一般的である。
【０００３】
しかし、用紙を手作業で三つ折りにする場合に、作業者が目分量で折り幅を設定すると、きちんと綺麗に折り畳めなかったりする場合が多い。
そこで、三つ折り用器具としては、特許文献１に記載のように、補助具的なものや、特許文献２に記載のように、専用具的なものが提案されている。
【先行技術文献】
【特許文献】
【０００４】
【特許文献１】特開２００１−１３８６９１号公報
【特許文献２】実用新案登録第３１４４６５４号公報
【発明の概要】
【発明が解決しようとする課題】
【０００５】
しかしながら、特許文献１に記載された技術では、毎回手にとって使用するため手間が掛かるので、三つ折り回数が多い場合には不向きである。また、特許文献２に記載された技術では、大掛かりな器具となってしまうと共に、三つ折りの対象物を箱に入れて織り込むので作業がし難く、また数枚を１セットとする作業では、セット作業自体も大変手間が掛かってしまうという問題があった。
【０００６】
本発明は、従来の技術が有するこのような問題点に鑑みてなされたものであり、その目的とするところは、簡易な構成で、容易且つ迅速に定形用紙の三つ折り作業が行える紙折り器具を提供しようとするものである。
【課題を解決するための手段】
【０００７】
上記課題を解決すべく請求項１に係る発明は、定形用紙を三つ折りにする際に用いる紙折り器具であって、定形用紙の短辺を当接して位置決めするガイド部及び定形用紙の長辺に対向する縁部を有して定形用紙を載置する台板と、この台板の縁部で前記ガイド部から定形用紙の折り幅だけ隔てた位置に前記折り幅とほぼ等しい幅の端部を回動自在に取り付けて定形用紙を前記台板とで挟むゴムマグネット製のプレート部材と、このプレート部材が定形用紙を介して前記台板に吸着するよう前記台板に設けた磁気吸着手段を備え、前記台板の縁部側の寸法が定形用紙の長辺よりも短く、前記台板のガイド部側の寸法が少なくとも定形用紙の短辺より短くなるように縁部の反対側の角部が切り欠かれ、前記プレート部材の長手方向の寸法が定形用紙の短辺より長いものである。
【０００８】
また、前記台板は、凹凸面を有する樹脂板で形成することができる。
【発明の効果】
【０００９】
請求項１に係る発明によれば、複数枚の定形用紙をセットした状態でも、簡単に台板上に位置決め固定して三つ折りにすることができる。また、縁部の反対側の角部が切り欠かれているので、定形用紙を上方に折る際に台板が邪魔にならず、円滑に三つ折り作業を行うことができる。更に、プレート部材がゴムマグネットで形成されているため柔軟に変形するので、三つ折り後の定形用紙の取り出しも円滑に行うことができる。
【００１０】
また、台板が凹凸面を有する樹脂板で形成されれば、軽量且つ堅牢化が図れ、台板上に定形用紙を載置する際に生ずる摩擦を少なくして作業効率を向上させることができる。
【図面の簡単な説明】
【００１１】
【図１】本発明に係る紙折り器具の平面図
【図２】図１のＡ方向矢視図
【図３】図１のＢ方向矢視図
【図４】作用説明図で、プレート部材をめくり上げた状態
【図５】作用説明図で、定形用紙をセットした状態
【図６】作用説明図で、定形用紙の右側部分を折った状態
【図７】作用説明図で、定形用紙の左側部分を折った状態
【図８】作用説明図で、三つ折りされた定形用紙を取り出す状態
【発明を実施するための形態】
【００１２】
以下に本発明の実施の形態を添付図面に基づいて説明する。本発明に係る紙折り器具１は、図１乃至図３に示すように、ガイド部２と縁部３を有して定形用紙４を載置する台板５と、端部６ａを縁部３に回動自在に取り付けて定形用紙４を台板５と共に挟持するゴムマグネット製のプレート部材６と、プレート部材６が定形用紙４を介して台板５に吸着するようにプレート部材６が対向する台板５上に設けたマグネットシート７を備えている。
【００１３】
台板５は、載置された定形用紙４の長辺方向と略平行な凹凸面８を有する樹脂板製で、略矩形形状に形成されている。台板５の縁部３側の寸法Ｗ１は定形用紙４の長辺４ａよりも短く、台板５のガイド部２側の寸法Ｗ２は少なくとも定形用紙４の短辺４ｂより短くなるように縁部３の反対側の角部５ａが切り欠かれている。
【００１４】
ガイド部２は、台板５の一端部に設けられ、定形用紙４の短辺４ｂを当接して定形用紙４を台板５上に位置決めし、定形用紙４の折り目の位置を設定する役割を果たす。縁部３は、台板５の他端部に設けられ、プレート部材６を取り付けると共に、複数枚の定形用紙４を台板５上にセットする場合には定形用紙４の長辺４ａを揃えるための位置決め手段としての役割を果たす。
【００１５】
プレート部材６は、略矩形形状に形成され、台板５の縁部３でガイド部２から定形用紙４の折り幅Ｗ３だけ隔てた位置に、折り幅Ｗ３とほぼ等しい幅Ｗ４の端部６ａを回動自在に取り付けている。また、ガイド部２と対向するプレート部材６の長手方向の端部６ｂ，６ｃの寸法Ｗ５は、定形用紙４の短辺４ｂよりも長くしている。
【００１６】
プレート部材６は、台板５上に載置された定形用紙４を介してマグネットシート７に吸着し、台板５と共に定形用紙４を挟持して固定する役割を果たす。プレート部材６はゴムマグネット製なので、定形用紙４を台板５上に載置する際には、端部６ｄを持ち上げて容易にめくり上げることができる。
【００１７】
以上のように構成された本発明に係る紙折り器具１の作用及び定形用紙４の三つ折り作業手順について説明する。先ず、図４に示すように、マグネットシート７に吸着しているプレート部材６を、その端部６ｄを持ち上げて台板５から離しめくり上げる。
【００１８】
次いで、図５に示すように、定形用紙４を台板５とプレート部材６の間に差し込み、定形用紙４の短辺４ｂをガイド部２に当接して、定形用紙４を台板５にセットする。そして、プレート部材６を、定形用紙４を介してマグネットシート７に吸着させ、定形用紙４を台板５と共に挟持して固定する。
【００１９】
なお、１枚の定形用紙４を三つ折りにする場合には、定形用紙４の短辺４ｂをガイド部２に当接するだけで、長辺４ａを縁部３に当接せずに位置決め固定することができる。しかし、複数枚の定形用紙４を三つ折りにする場合には、定形用紙４の短辺４ｂをガイド部２に当接させると共に、長辺４ａも縁部３に当接させて位置決め固定すれば、長辺４ａと短辺４ｂが揃った状態で三つ折りすることができる。
【００２０】
次いで、図６に示すように、定形用紙４の右側部分４ｃをまくり上げ、プレート部材６の長手方向の端部６ｃを利用して定形用紙４を折る。ここで、台板５の縁部３側の寸法Ｗ１は定形用紙４の長辺４ａよりも短いので、定形用紙４の右側部分４ｃを上方に折る際に台板５が邪魔にならず、円滑に三つ折り作業を行うことができる。
【００２１】
すると、折られた定形用紙４の右側部分４ｃがプレート部材６と重なり、この折られた右側部分４ｃの短辺４ｂがプレート部材６の長手方向の端部６ｂの内側に位置することになる。
【００２２】
次いで、図７に示すように、定形用紙４の左側部分４ｄをまくり上げ、プレート部材６の長手方向の端部６ｂを利用して定形用紙４を折る。ここで、縁部３の反対側の角部５ａが切り欠かれているので、定形用紙４の左側部分４ｄを上方に折る際に台板５が邪魔にならず、円滑に三つ折り作業を行うことができる。
【００２３】
すると、折られた定形用紙４の左側部分４ｄが定形用紙４の右側部分４ｃと重なり、この折られた左側部分４ｄの短辺４ｂがプレート部材６の長手方向の端部６ｃの内側に位置することになる。定形用紙４は、三つ折りされた状態でプレート部材６に巻き付いている。
【００２４】
また、プレート部材６の長手方向の端部６ｂ，６ｃの寸法Ｗ５は、定形用紙４の短辺４ｂよりも長くなるようにしているので、定形用紙４に対する三つ折り作業を円滑且つ確実に行うことができる。
【００２５】
次いで、図８に示すように、端部６ｄを持ち上げてプレート部材６を台板５から引き離し、三つ折りされてプレート部材６に巻き付いた状態の定形用紙４をプレート部材６から引き抜く。すると、綺麗に三つ折りされた状態の定形用紙４を得ることができる。
【００２６】
また、複数枚の定形用紙４を三つ折りにする場合でも、ガイド部２と縁部３を利用することにより、長辺４ａと短辺４ｂがきちんと揃った状態の三つ折り定形用紙４を得ることができる。
【産業上の利用可能性】
【００２７】
本発明によれば、簡易な構成で、容易且つ迅速に定形用紙の三つ折り作業が行える紙折り器具を提供することができる。
【符号の説明】
【００２８】
１…紙折り器具、２…ガイド部、３…縁部、４…定形用紙、４ａ…長辺、４ｂ…短辺、４ｃ…右側部分、４ｄ…左側部分、５…台板、５ａ…角部、６…プレート部材、６ａ，６ｂ，６ｃ，６ｄ…端部、７…マグネットシート（磁気吸着手段）、８…凹凸面、Ｗ１…台板の縁部側の寸法、Ｗ２…台板のガイド部側の寸法、Ｗ３…折り幅、Ｗ４…プレート部材の幅、Ｗ５…プレート部材の長手方向の端部の寸法。
【図１】
2012076832.tif 000003
【図２】
2012076832.tif 000004
【図３】
2012076832.tif 000005
【図４】
2012076832.tif 000006
【図５】
2012076832.tif 000007
【図６】
2012076832.tif 000008
【図７】
2012076832.tif 000009
【図８】
2012076832.tif 000010